(57)【要約】【課題】  １台の靴下編機で左右の靴下を同等に編成することができ、左右の切換えも容易に行うことができるようにする。【解決手段】  靴下の踵部を後針床１２ｂと前針床１２ａとで編成可能にするために、後針床１２ｂ用のピッカ２１とともに、前針床１２ａ用のピッカ４１を設ける。添糸用のヤーンフィーダ１５ａｕ２，１５ａｄを、ピッカ２１，４１とともに、左足用と右足用とで切換えて使用する。使用しない方を休止させ、糸端を保持しておくために、他の編糸用の固定ルーパ４２とは別に、添糸の糸端保持のための固定ルーパ４３が設けられている。編糸または添糸となる編地からヤーンフィーダの給糸口まで伸びる編糸の途中を捕捉する際には、両方の固定ルーパ４２，４３に対してカッタ４４を共通に使用することができる。【選択図】  図１
2008007917.tif 000002
【特許請求の範囲】
【請求項１】
歯口を挟んで山形に頂部を対向させた一対の平針床に並設される編針を選針ドラムに予め設定されるパターンに従って選択し、各平針床に設けられて編針の並設方向に往復走行するキャリッジに搭載されるカムで編成動作を行わせ、つま先側に指袋を有し、全体的には筒状となる靴下を、添糸編みの編地を含むように編成する靴下編機において、
両方の平針床で踵部付加用の編針の増減が可能なように、各平針床に設けられるキャリッジにそれぞれ搭載され、いずれかが作動して踵部を編成するように切換えられる一対のピッカと、
歯口に添糸編みの主糸を給糸するように、キャリッジの走行に合わせて往復移動可能な主糸用ヤーンフィーダと、
歯口に添糸編みの添糸を給糸し、キャリッジの走行に合わせて往復移動可能であり、移動方向の切換え時の主糸用ヤーンフィーダによる追越し軌跡が一方の平針床側でのピッカの作動に適合して、該一方の平針床側のピッカへの切換え時に選択される一方の添糸用ヤーンフィーダと、
歯口に添糸編みの添糸を給糸し、キャリッジの走行に合わせて往復移動可能であり、移動方向の切換え時の主糸用ヤーンフィーダによる追越し軌跡が他方の平針床側でのピッカの作動に適合して、該他方の平針床側のピッカへの切換え時に選択される他方の添糸用ヤーンフィーダと、
選択されない添糸用ヤーンフィーダから給糸される添糸の糸端を保持し、添糸用ヤーンフィーダの選択切換え時に、保持していた添糸の糸端を解放し、選択から非選択に切換えられた添糸用ヤーンフィーダから給糸される添糸の糸端を保持するように切換えられる添糸用糸端保持機構とを、
含むことを特徴とする靴下編機。
【請求項２】
前記主糸用ヤーンフィーダと前記一方の添糸用ヤーンフィーダとを、往復移動可能に支持する第1の移動レールと、
前記他方の添糸用ヤーンフィーダを往復移動可能に支持する第２の移動レールとを、
含むことを特徴とする請求項１記載の靴下編機。
【請求項３】
前記第２の移動レールは、前記第１の移動レールの下方に架設されることを特徴とする請求項２記載の靴下編機。
【請求項４】
前記第１の移動レールおよび前記第２の移動レールに平行するように架設され、前記主糸および前記添糸とは異なる編糸を給糸可能なヤーンフィーダを往復移動可能に支持する第３の移動レールと、
該第３の移動レールに支持されて往復移動するヤーンフィーダから給糸される編糸の糸端を保持して解放可能な編糸用糸端保持機構と、
該編糸用糸端保持機構および前記添糸用糸端保持機構に対して共通に設けられ、編糸用保持機構および添糸用保持機構で編地からヤーンフィーダに渡る編糸および添糸をそれぞれ捕捉して保持する際に、編地側を切断する切断機構とを、
含むことを特徴とする請求項２または３記載の靴下編機。
【発明の詳細な説明】
【技術分野】
【０００１】
本発明は、つま先に指袋を有し、踵部で部分的な編目の増減が行われ、全体的には筒状の靴下を、添糸編みの編地を含むように編成する靴下編機に関する。
【背景技術】
【０００２】
従来から、図４に示すような靴下１が２枚ベッドの横編機で筒状に編成されている。図４の（ａ）はたとえば前針床、（ｂ）は後針床でそれぞれ編成する編地部分を示す。編糸を前針床と後針床とに周回させながら編成することによって、前針床で編成する編地部分と後針床で編成する編地部分とが編幅の両端で連結される筒状の編地が得られる。靴下１の編出しは、手の親指に相当する第1指用の第1指袋２ａの先端から開始される。第1指袋２ａの根本まで編成すると、手の人差指に相当する第２指用の第２指袋２ｂの先端の編成を開始する。以下、同様にして、手の中指および薬指に相当する第３指用の第３指袋２ｃおよび第４指用の第４指袋２ｄをそれぞれ編成する。４つの指袋を編成すると、第１指から第４指までの４本指をまとめた部分の筒状編地を編成した後、手の小指に相当する第５指用の第５指袋２ｅの先端の編出しを開始し、第５指袋の編成が終了すると、５本指全体をまとめた足甲部３ａおよび足裏部３ｂを全体的に筒状に編成する。次に、後針床のみで、編幅の両側を目減らししながら、踵部３ｃを編成し、さらに編幅の両側を目増やししながら踵部３ｄを編成する。編幅が足裏部３ｂに戻れば、足首部４ａ，４ｂを全体的に筒状に編成する。足首部４ａ，４ｂの終端付近に、色縞部５ａ，５ｂを付加することもできる。足首部４ａ，４ｂの次は、ゴム糸を挿入するゴム部６ａ，６ｂを全体的に筒状に編成し、最後に解れ止め部７ａ，７ｂを編成する。
【０００３】
色縞部５ａ，５ｂ、ゴム部６ａ，６ｂおよび解れ止め部７ａ，７ｂを除く靴下１の編地の主要部分は、主糸と添糸とを用い、添糸がほとんど表面には出なくなるような添糸編みで編成される。添糸としては、たとえばフィラメント・ツイステッド・ヤーン（ＦＴＹ）やウーリーナイロンなどと呼ばれる高弾性糸が使用される。色縞部５ａ，５ｂは、たとえば主糸とは異なる色の編糸のみで編成される。ゴム部６ａ，６ｂは、高弾性のゴム糸を挿入して編成される。解れ止め部７ａ，７ｂは、熱溶融糸などの解れ止め糸で編成される。なお、靴下１の製品としては、解れ止め部７ａ，７ｂでの解れ止めが最終処理ではなく、編成後に、解れ止め部７ａ，７ｂを内側に折込んで縫い合せる仕上げ処理が行われる。
【０００４】
図５は、図４に示すような靴下１を編成する専用の靴下編機１０の構成を示す。靴下編機１０では、選針ドラム１１ａ，１１ｂを前針床１２ａおよび後針床１２ｂにそれぞれ設けて、歯口１３で靴下１を筒状編地として編成するために使用する編針を選択する。選針ドラム１１ａ，１１ｂは、たとえばオルゴールのようにドラム体にピンを立てて、編針の選針を行う（たとえば、特許文献１参照。）。歯口１３の上方には、２列２段の移動レール１４ａｕ，１４ａｄ，１４ｂｕ，１４ｂｄがそれぞれ前針床１２ａおよび後針床１２ｂの長手方向に平行に架設されている。各移動レールには、ヤーンフィーダが往復移動可能に支持される。前針床１２ａ側の上段の移動レール１４ａｕには、２つのヤーンフィーダ１５ａｕ１，１５ａｕ２が支持されている。前針床１２ａ側の下段の移動レール１４ａｄ、後針床１２ｂ側の上下の移動レール１４ｂｕ，１４ｂｄには、ヤーンフィーダ１５ａｄ，１５ｂｕ，１５ｂｄがそれぞれ支持されている。ヤーンフィーダ１５ａｄ，１５ｂｕ，１５ｂｄには、上方から、編糸１６ａｄ，１６ｂｕ，１６ｂｄとして、解れ止め糸、ゴム糸および色糸がそれぞれ供給される。前針床１２ａおよび後針床１２ｂには、キャリッジ１７ａ，１７ｂがそれぞれ設けられ、連動して長手方向に往復移動可能である。各ヤーンフィーダ１５ａｕ１，１５ａｕ２，１５ａｄ，１５ｂｕ，１５ｂｄは、キャリッジ１７ａ，１７ｂに立設される支持スタンド１８ａ，１８ｂから出没する連行ピン１９で選択的に連行されて、キャリッジ１７ａ，１７ｂに従って往復移動する。
【０００５】
ヤーンフィーダ１５ａｕ１，１５ａｕ２に上方から給糸される編糸１６ａｕ１，１６ａｕ２は、主糸および添糸である。ヤーンフィーダ１５ａｕ１，１５ａｕ２から歯口１３に進出する編針への給糸位置は、主糸となる編糸１６ａｕ１が添糸となる編糸１６ａｕ２に一定の間隔を保って先行するように、キャリッジ１７ａの移動方向に応じて、移動状態が切換えられる（たとえば、特許文献２参照。）。なお、主糸給糸用のヤーンフィーダと添糸給糸用のヤーンフィーダとを別の移動レールに設けることもできるけれども（たとえば、特許文献３参照。）、移動状態を切換える必要があることは同様である。
【０００６】
主糸給糸用のヤーンフィーダ１５ａｕ１が添糸給糸用のヤーンフィーダ１５ａｕ２を追越す際には、歯口１３で下端の給糸口が前針床１２ａ側にずれた位置を通過する。各キャリッジ１７ａ，１７ｂには、選針ドラム１１ａ，１１ｂによって選針された編針を駆動して編成動作を行わせるためのカム２０ａ，２０ｂがそれぞれ搭載されている。後針床１２ｂ側のキャリッジ１７ｂには、ピッカ２１も搭載されている。ピッカ２１は、選針ドラム１１ｂで選針されている編針に対し、後針床１２ｂの長手方向の両側から順次目減らしを行い、また順次目増やしを行い（たとえば、特許文献４参照。）、図４（ｂ）に示す踵部３ｃ，３ｄを編成するために使用される。図４に示す親指袋２ａなどの編出しは、可動ルーパ２２で糸端を保持したり、切断したりしながら行う（たとえば、特許文献５参照。）。前針床１２ａおよび後針床１２ｂの長手方向の一端には、固定ルーパ２３も設けられ、解れ止め糸および色糸としての編糸１６ａｄ，１６ｂｄをそれぞれ保持し、カッタ２４で切断することができる（たとえば、特許文献６参照。）。
【０００７】
図６は、図５の前針床１２ａ，および後針床１２ｂにそれぞれ並設される編針３０の概略的な構成を示す。編針３０では、ニードル３１とジャック３２とが一体的に連結されている。ニードル３１は、先端にフック３３を有し、ラッチ３４でフック３３の開口部を開閉することができる。ニードル３１には、図５のキャリッジ１７ａ，１７ｂに搭載されるカム２０ａ，２０ｂの作用を受けるニードルバット３５とともに、止めバット３６が設けられている。ジャック３２にも、カム２０ａ，２０ｂの作用を受けるジャックバット３７が設けられている。各編針３０は、前針床１２ａおよび後針床１２ｂの長手方向に沿って設けられる針溝にそれぞれ収容され、選針ドラム１１ａ，１１ｂによる選針で、ニードルバット３５およびジャックバット３７がカム２０ａ，２０ｂの作用を受けるように、針溝から突出する。ピッカ２１による目減らしは、選針されている編針３０を歯口１３側に進出させて、ニードルバット３５およびジャックバット３７をカム２０ａ，２０ｂによる編成動作用の作用を受ける位置から外すようにして行われる。止めバット３６は、編針３０がピッカ２１による目減らしで歯口１３へ進出する際に、その編針３０で係止している編目がシンカの作用を受けないようにするために設けられている。靴下編機１０には、キャリッジ１７ａ，１７ｂにシンカを駆動するカムも搭載され、編針３０に係止されている編目を押圧する。ピッカ２１による目減らしで休止している編針３０に係止されている編目は、シンカによって繰返して押圧され、切断などが生じるおそれがある。止めバット３６を、休止状態の編針３０でシンカが作用する位置に設けておくことによって、休止している編針３０が係止する編目を、シンカが作用する範囲よりも上方に退避させ、押圧の繰返しを避けることができる。
【０００８】
ただし、ピッカ２１による目減らしの対象となった編針３０に主糸および添糸となる編糸１６ａｕ１，１６ａｕ２を給糸している状態では、止めバット３６の側部に編糸１６ａｕ１，１６ａｕ２が掛っている。添糸編みの踵部３ｃ，３ｄの編地中では主糸となる編糸１６ａｕ１の上部に添糸となる編糸１６ａｕ２が位置しているけれども、ピッカ２１によって歯口に進出させた編針３０では、止めバット３６に編糸１６ａｕ１，１６ａｕ２が掛って、添糸となる編糸１６ａｕ２の方が主糸となる編糸１６ａｕ２よりも細いので、横にずれてしまう。ヤーンフィーダ１５ａｕ１，１５ａｕ２が移動方向を転換する際には、特許文献２，３に示すように、主糸給糸用の給糸口が添糸給糸用の給糸口よりも先行するように、給糸口の追越しが必要となる。追越しの方向は、止めバット３６での編糸１６ａｕ１，１６ａｕ２の位置関係に合っている必要がある。
【特許文献１】特許第２９３１５８９号公報
【特許文献２】特公昭６１−５８５７６号公報
【特許文献３】特公昭６１−５８５７７号公報
【特許文献４】特許第２７７９８６２号公報
【特許文献５】特公昭４８−２４４２１号公報
【特許文献６】特公昭６２−５３６２０号公報
【発明の開示】
【発明が解決しようとする課題】
【０００９】
図４に示すような５本の指袋付の靴下１は、手袋の形状を変形したものと考えることもできる。手袋を専用に編成する手袋編機も、基本的に図５に示すような靴下編機１０と同様な構成で実現される。図５に示す靴下編機１０のような編機は、選針ドラム１１ａ，１１ｂに設定した編地パターン以外は編成することはできない。異なる編地パターンの編地を編むためには、ドラムのピン設定を機械的に変更する必要がある。また、可動ルーパ２２の動作範囲や固定ルーパ２３およびカッタ２４の位置も、いったん設定した後の変更は困難となる。したがって、図５に示すような選針ドラム１１ａ，１１ｂで編針の選針を行う靴下編機１０や手袋編機を効率的に運転させるためには、いったん設定した状態で連続的に同一の靴下１を編成する必要がある。
【００１０】
ただし、手袋には、靴下１のような踵部３ｃ，３ｄは不要であり、手袋の掌側と甲側とは等しい編地組織とすることができる。したがって、同一の編地を２つ編上げれば、手袋の左右が揃う。しかし、靴下１では足裏側に踵部３ｃ，３ｄが必要となる。踵部３ｃ，３ｄの編成には、ピッカ２１が必要となるので、図５に示すようにピッカ２１が後針床１２ｂ側に配置されていれば、後針床１２ｂは足裏側、前針床１２ａは足甲側の編地をそれぞれ専用に編成することとなり、このような配置では靴下１は右足用のみとなる。左足用の靴下を編成するためには、選針ドラム１１ａ，１１ｂのピン設定を左右逆にして、さらに可動ルーパ２２と、固定ルーパ２３およびカッタ２４の配置も左右逆にしなければならない。このような設定変更を行いながら１台の靴下編機１０で左右の靴下を編成することは生産性を低下させてしまうので、たとえば針床の右側で第１指袋を編成し、順次左側に指袋を編成する順序は共通として選針ドラム１１ａ，１１ｂの設定は共通化し、踵部を後針床１２ｂで編むためにキャリッジ１７ｂにピッカ２１を搭載する右足用、および踵部を前針床１２ａで編むためにキャリッジ１７ａにピッカ２１を搭載する左足用の２台の靴下編機１０が用いられている。
【００１１】
図５のピッカ２１を、前針床１２ａ側のキャリッジ１７ａにも搭載すれば、前針床１２ａで足裏側を編成し、選針ドラム１１ａ，１１ｂのピン配置や、可動ルーパ２２と、固定ルーパ２３およびカッタ２４の配置は右足用の設定状態から変更しないでも、理論的には左足用の靴下を編成することができると考えられる。しかしながら、目減らしの際に、ピッカ２１によって歯口側に上げられる編針３０は前針床１２ａ側となるので、止めバット３６に掛る編糸１６ａｕ１，１６ａｕ２の位置関係は左右が逆となり、後針床１２ｂ側の編針３０を休止させる場合に適合する追越しの関係では、主糸と添糸とに交差部が生じてしまう。交差部は、踵部３ｃ，３ｄの編幅から離れた位置に形成されるために、以降の編成コースに交差部を含む編糸１６ａｕ１，１６ａｕ２が供給されると、踵部３ｃ，３ｄとして編成される編地中に交差部が編込まれてしまい、風合いを損ってしまう。
【００１２】
本発明の目的は、１台の靴下編機で左右の靴下を同等に編成することができ、左右の切換えも容易に行うことができる靴下編機を提供することである。
【課題を解決するための手段】
【００１３】
本発明は、歯口を挟んで山形に頂部を対向させた一対の平針床に並設される編針を選針ドラムに予め設定されるパターンに従って選択し、各平針床に設けられて編針の並設方向に往復走行するキャリッジに搭載されるカムで編成動作を行わせ、つま先側に指袋を有し、全体的には筒状となる靴下を、添糸編みの編地を含むように編成する靴下編機において、
両方の平針床で踵部付加用の編針の増減が可能なように、各平針床に設けられるキャリッジにそれぞれ搭載され、いずれかが作動して踵部を編成するように切換えられる一対のピッカと、
歯口に添糸編みの主糸を給糸するように、キャリッジの走行に合わせて往復移動可能な主糸用ヤーンフィーダと、
歯口に添糸編みの添糸を給糸し、キャリッジの走行に合わせて往復移動可能であり、移動方向の切換え時の主糸用ヤーンフィーダによる追越し軌跡が一方の平針床側でのピッカの作動に適合して、該一方の平針床側のピッカへの切換え時に選択される一方の添糸用ヤーンフィーダと、
歯口に添糸編みの添糸を給糸し、キャリッジの走行に合わせて往復移動可能であり、移動方向の切換え時の主糸用ヤーンフィーダによる追越し軌跡が他方の平針床側でのピッカの作動に適合して、該他方の平針床側のピッカへの切換え時に選択される他方の添糸用ヤーンフィーダと、
選択されない添糸用ヤーンフィーダから給糸される添糸の糸端を保持し、添糸用ヤーンフィーダの選択切換え時に、保持していた添糸の糸端を解放し、選択から非選択に切換えられた添糸用ヤーンフィーダから給糸される添糸の糸端を保持するように切換えられる添糸用糸端保持機構とを、
含むことを特徴とする靴下編機である。
【００１４】
また本発明では、前記主糸用ヤーンフィーダと前記一方の添糸用ヤーンフィーダとを、往復移動可能に支持する第1の移動レールと、
前記他方の添糸用ヤーンフィーダを往復移動可能に支持する第２の移動レールとを、
含むことを特徴とする。
【００１５】
また本発明で、前記第２の移動レールは、前記第１の移動レールの下方に架設されることを特徴とする。
【００１６】
また本発明では、前記第１の移動レールおよび前記第２の移動レールに平行するように架設され、前記主糸および前記添糸とは異なる編糸を給糸可能なヤーンフィーダを往復移動可能に支持する第３の移動レールと、
該第３の移動レールに支持されて往復移動するヤーンフィーダから給糸される編糸の糸端を保持して解放可能な編糸用糸端保持機構と、
該編糸用糸端保持機構および前記添糸用糸端保持機構に対して共通に設けられ、編糸用保持機構および添糸用保持機構で編地からヤーンフィーダに渡る編糸および添糸をそれぞれ捕捉して保持する際に、編地側を切断する切断機構とを、
含むことを特徴とする。
【発明の効果】
【００１７】
本発明によれば、歯口を挟んで山形に頂部を対向させた一対の平針床の両方のキャリッジに、踵部付加用の編針の増減が可能なピッカを設け、主糸用ヤーンフィーダに対して、添糸用ヤーンフィーダを、追越し軌跡がピッカの作動に適合するように選択することができるので、１台の靴下編機で左右の靴下の編地を同等に編成することができる。左右の切換えは、ピッカおよび添糸用のヤーンフィーダに対して行えばよいので、容易に行うことができる。同一の靴下編機で左右の靴下を編成するので、編成条件は左右で同等とすることができる。
【００１８】
また本発明によれば、主糸用ヤーンフィーダと２つの添糸用ヤーンフィーダとの３つのヤーンフィーダを、２本の移動レールで往復移動可能に支持することができる。２つの添糸用ヤーンフィーダは異なる移動レールで支持するので、主糸用ヤーンフィーダに対する追越し軌跡が異なる状態を容易に実現することができる。
【００１９】
また本発明によれば、上下の移動レールの上方で主糸用ヤーンフィーダおよび添糸用ヤーンフィーダが支持されるので、特許文献２に記載されているようにして、添糸編みを行うことができる。また、下方の移動レールで添糸用ヤーンフィーダが支持されるので、特許文献３に記載されているようにして、添糸編みを行うことができる。
【００２０】
また本発明によれば、第３の移動レールで支持されるヤーンフィーダから給糸する編糸と、添糸編みには使用しないで休止する添糸用ヤーンフィーダから給糸する添糸とを、編糸用糸端保持機構と添糸用糸端保持機構とで、別に保持して解放可能であるので、添糸の切換え時の糸端の保持と解放とを円滑に行うことができる。切断機構は、編糸および添糸を捕捉して保持する際に切断するので、共通化し、設置スペースを削減することができる。
【発明を実施するための最良の形態】
【００２１】
以下、図１〜図４を参照して、本発明の実施の一形態としての靴下編機４０に関連する技術的な事項を説明する。なお、以下の説明で、先に説明している部分と対応する部分は、同一の参照符を付し、重複する説明を省略する。
【００２２】
図１は、本実施形態の靴下編機４０の概略的な構成を示す。靴下編機４０では、図５に示す靴下編機１０を基礎とし、前針床１２ａ側のキャリッジ１７ａにもピッカ４１を搭載している。前述のように、前針床１２ａ側にピッカ４１を設けるだけでは、前針床１２ａで編成する踵部３ｃ，３ｄの風合いを損ねるおそれがあるので、前針床１２ａの上方に架設される２段の移動レール１４ａｕ，１４ａｄのうちの上段に主糸用のヤーンフィーダ１５ａｕ１および添糸用のヤーンフィーダ１５ａｕ２を割当てるだけではなく、下段にも添糸用のヤーンフィーダ１５ａｄを割当てている。新たに割当てる添糸用のヤーンフィーダ１５ａｄは、給糸口が主糸用のヤーンフィーダ１５ａｕ１の給糸口に追越される軌跡の位置関係が添糸用のヤーンフィーダ１５ａｕ２とは異なる側となるように設定される。
【００２３】
添糸用のヤーンフィーダ１５ａｕ２，１５ａｄを右足用と左足用とで切換えて使用する場合、使用しない方を休止させ、糸端を保持しておく必要がある。このため、図５の固定ルーパ２３と同様な固定ルーパ４２とともに、添糸用糸端保持装置としての固定ルーパ４３が設けられている。ただし、編糸、または添糸となる編糸が編地からヤーンフィーダの給糸口まで伸びる途中で捕捉して糸端を保持するタイミングは、編糸と添糸とで異なるので、両方の固定ルーパ４２，４３に対してカッタ４４を共通に使用しても、切断は異なるタイミングに合わせて、それぞれ別に行うことができる。ヤーンフィーダの割当てに関して、図５では解れ止め糸用に使用しているヤーンフィーダ１５ａｄを添糸の給糸用に使用するので、ピッカ２１，４１を切換えて、後針床１２ｂまたは前針床１２ａのいずれかで踵部３ｃ，３ｄを編成することができる。
【００２４】
すなわち、ヤーンフィーダ１５ａｄを添糸の給糸用に使用する場合は、給糸口の主糸用のヤーンフィーダ１５ａｕ１の給糸口に対する追越し軌跡が、ヤーンフィーダ１５ａｕ２の給糸口のヤーンフィーダ１５ａｕ１の給糸口に対する追越し軌跡とは逆になるようにすればよい。前針床１２ａ側のピッカ４１で前針床１２ａの編針３０を上昇させて目減らしを行う場合、後針床１２ｂ側のピッカ２１で後針床１２ｂの編針３０を上昇させて目減らしを行う場合とで、止めバット３６での主糸となる編糸１６ａｕ１と添糸となる編糸１６ａｄとの位置関係は、左右が逆となる。この結果、ヤーンフィーダ１５ａｕ１，１５ａｄの移動方向を転換する際に交差部を生じさせないためには、主糸用のヤーンフィーダ１５ａｕ１の給糸口が添糸用のヤーンフィーダ１５ａｄのたとえば編機正面から見て奥側を通過する軌跡で追越さなければならない。主糸用のヤーンフィーダ１５ａｕ１と同一の移動レール１４ａｕで支持される添糸用のヤーンフィーダ１５ａｕ２では、編機正面から見て手前側を通過する追越し軌跡となるようにすれば、２つの添糸用ヤーンフィーダ１５ａｕ２，１５ａｄでは主糸用ヤーンフィーダ１５ａｕ１の追越し時の軌跡が逆側となる。このように、後針床１２ｂ側のピッカ２１と添糸用としてヤーンフィーダ１５ａｕ２を使用して図４に示すような右足用の靴下１を編成するとともに、前針床１２ａ側のピッカ４１と、添糸用としてヤーンフィーダ１５ａｄを使用して左足用の靴下を編成することができる。
【００２５】
図２は、図１の靴下編機４０で編成可能な右足用の靴下１を（ａ）で、左足用の靴下５１を（ｂ）でそれぞれ示す。（ａ）に示す靴下１は、前針床１２ａで足甲部３ａおよび前側の足首部４ａを編成し、踵部３ｃ，３ｄは後針床１２ｂで編成する。（ｂ）に示す靴下５１は、後針床１２ｂで足甲部５３ａおよび前側の足首部４ａを編成し、踵部３ｃ，３ｄは前針床１２ａで編成する。靴下５１の足甲部５３ａは、図４（ｂ）に示すように、靴下１の足裏部３ｂと基本的に同一である。足甲部５３ａと表裏の関係にある靴下５１の足裏部は、靴下１の足甲部３ａと基本的に同一である。踵部３ｃ，３ｄを除けば、（ａ）で示す靴下１と（ｂ）で示す靴下５１とは表裏の関係にあり、選針ドラム１１ａ，１１ｂの設定は共通に使用することができる。
【００２６】
また、図１の靴下編機４０では、後針床１２ｂ側のピッカ２１とともに前針床１２ａ側にもピッカ４１を設けているので、前針床１２ａと後針床１２ｂとで踵部３ｃ，３ｄをそれぞれ編成し、同一の５本指付靴下の両側に踵部３ｃ，３ｄを設けるようにすることもできる。このように、両側に踵部３ｃ，３ｄを設ける靴下は、５本指付でも右足用と左足用とを兼用することができる。
【００２７】
図３は、主糸用のヤーンフィーダ１５ａｕ１が往復移動する移動レール１４ａｕとは異なる移動レール１４ａｄで添糸用のヤーンフィーダ１５ａｄが休止する場合に、ヤーンフィーダ１５ａｄに上方から添糸として給糸される編糸１６ａｄｖが移動するヤーンフィーダ１５ａｕ１と干渉しないように退避させる方法を示す。各ヤーンフィーダ１５ａｕ１，１５ａｄでは、フィーダロッド４６ａｕ１，４６ａｄが移動レール１４ａｕ，１４ａｄに支持されて摺動変位する支持体４５ａｕ１，４５ａｄから垂下するように設けられている。フィーダロッド４６ａｕ１，４６ａｄの下端には給糸口４７ａｕ１，４７ａｄがそれぞれ設けられる。各支持体４５ａｕ１，４５ａｄには、上方給糸される編糸を受入れて給糸口４７ａｕ１，４７ａｄまで中継する糸ガイド４８ａｕ１，４８ａｄがそれぞれ取付けられている。ヤーンフィーダ１５ａｄが休止するときに、ヤーンフィーダ１５ａｕ１と干渉する編糸１６ａｄの上下部分１６ａｄｖは、二点鎖線で示すように、糸ガイド４８ａｄから上方に向う部分である。
【００２８】
上側のヤーンフィーダ１５ａｕ１の支持体４５ａｕ１には、案内部材である連行片４９が取付けられる。また、下側のヤーンフィーダ１５ａｄが移動レール１４ａｄの一端側、または途中で休止する場合に、移動レール１４ａｄの他端側には、中継部材であるフック部材５０が設けられる。連行片４９の高さは、フック部材５０よりも低くなっている。ヤーンフィーダ１５ａｕ１，１５ａｄの先端の給糸口４７ａｕ１，４７ａｄから給糸される編糸は、編地中の編目ループに連なるか、またはルーパなどで一時的に保持される。
【００２９】
ヤーンフィーダ１５ａｄの休止開始時には、二点鎖線で示すように、編糸の上下部分１６ａｄｖが上側のヤーンフィーダ１５ａｕ１の移動で干渉を生じる位置にある。連行片４９は、ヤーンフィーダ１５ａｕ１が破線で示す状態を経て左方に移動する際に、編糸の上下部分１６ａｄｖを案内して、実線で示すように、フック部材５０に係止させることができる。フック部材５０と休止するヤーンフィーダ１５ａｄの糸ガイド４８ａｄとの間の編糸は、水平部分１６ａｄｈとなり、往復移動するヤーンフィーダ１５ａｕ１とは干渉しなくなる。ヤーンフィーダ１５ａｄを休止状態から使用状態に切換える際には、ヤーンフィーダ１５ａｄをいったんフック部材５０の位置まで移動させて、編糸の係止を解除させ、上方給糸の状態で使用する。
【００３０】
なお、移動レール１４ａｄを往復移動するヤーンフィーダ１５ａｄを添糸の給糸用に使用すると、図４に示すような靴下編機１で使用する解れ止め糸を使用することができない。しかしながら、靴下１，５１は、編成後に解れ止め部７ａ，７ｂを内側に折込んで縫いつける仕上げ処理を行うので、解れ止めは一時的なものでもよく、たとえば添糸のみを使用して有効な解れ止めを行うことができる。
【図面の簡単な説明】
【００３１】
【図１】本発明の実施の一形態である靴下編機４０の主要部分の概略的な構成を簡略化して示す斜視図である。
【図２】図１の靴下編機４０で編成可能な右足用の靴下１および左足用の靴下５１の平面図である。
【図３】図１の下側のヤーンフィーダ１５ａｄに上方から給糸される編糸の上下部分１６ａｄｖが上側を往復移動するヤーンフィーダ１５ａｕ１と干渉しないように退避させる構成を示す模式的な正面図である。
【図４】従来からの右足用の靴下１の平面図および背面図である。
【図５】図４の靴下１を編成する靴下編機１０の主要部分の略的な構成を簡略化して示す斜視図である。
【図６】図５の靴下編機１に使用する編針３０の側面図である。
【符号の説明】
【００３２】
１，５１  靴下
２ａ  第１指袋
２ｂ  第２指袋
２ｃ  第３指袋
２ｄ  第４指袋
２ｅ  第５指袋
３ｃ，３ｄ，５３ｃ，５３ｄ  踵部
１１ａ，１１ｂ  選針ドラム
１２ａ，１２ｂ  針床
１３  歯口
１４ａｕ，１４ａｄ，１４ｂｕ，１４ｂｄ  移動レール
１５ａｕ１，１５ａｕ２，１５ａｄ，１５ｂｕ，１５ｂｄ  ヤーンフィーダ
１６ａｕ１，１６ａｕ２，１６ａｄ，１６ｂｕ，１６ｂｄ  編糸
１７ａ，１７ｂ  キャリッジ
２０ａ，２０ｂ  カム
２１，４１  ピッカ
３０  編針
３６  止めバット
４０  靴下編機
４２，４３  固定ルーパ
４４  カッタ
【図１】
2008007917.tif 000003
【図２】
2008007917.tif 000004
【図３】
2008007917.tif 000005
【図４】
2008007917.tif 000006
【図５】
2008007917.tif 000007
【図６】
2008007917.tif 000008